(57)【要約】【課題】作業者が熟練をすることなく、簡単にミリ波レーダーなどの車両用障害物検知装置の角度を知ることのできる調整冶具を提供しようとするものである。【解決手段】本発明の車両用障害物検知装置の調整冶具は、レーダー４などの障害物検知装置である被調整物を係止するレーダーフック３、レーダー４の前面に当たる３本の位置決め突起５、を有するレーダー把持部１と、水準センサ１５からの信号を処理する電子回路基板１４、真空ポンプ１１に連結した吸盤６を有する本体８とを有し、レーダー把持部１はこの本体に対して搖動自在に取り付けられている。【選択図】図１
2019124676.tif 000002
【特許請求の範囲】
【請求項１】
水準センサ、車両の障害物検知装置である被調整物を係止するレーダーフック、レーダーの前面に当たる少なくとも３本の位置決め突起、を有するレーダー把持部と、水準センサからの信号を処理したりスイッチなどの入力手段からの信号を処理する電気的操作部、真空ポンプ、真空ポンプに連結した吸盤および電池などを有する本体とを有し、レーダー把持部はこの本体に対して搖動自在に取り付けられた車両用障害物検知装置の調整冶具。
【請求項２】
車両の障害物検知装置がミリ波レーダーである請求項１記載の車両用障害物検知装置の調整冶具。
【請求項３】
レーダー把持部は、本体に対して搖動自在に取り付けられている請求項１記載の車両用障害物検知装置の調整冶具。
【発明の詳細な説明】
【技術分野】
【０００１】  本発明は、例えばミリ波レーダーなど車両用障害物検知装置の取り付けが正確に容易に行うことのできる車両用障害物検知装置の調整冶具に関するものである。
【背景技術】
【０００２】  近年、高齢者による運転が増加し、それに伴う事故も増加している。このため障害物や歩行者を検知して自動的にブレーキを作動させる安全装置を有する車両が求められており、急速にこのような車両用障害物検知装置が普及している。このような車両用障害物検知装置の精度が向上するに伴い、製造ラインや修理工場で、車両用障害物検知装置を正確に取り付けるための冶具が求められている。【０００３】このような冶具の例として、特許文献１に開示されたものがある。これも車両用障害物検知装置に関するものであるが、特にバンパーなどを取り外すことなく、車両用障害物検知装置の検知軸の調整が可能になるようにしたものである。このため、特に車両の生産ラインでの検知軸の調整を合理化するという観点でなされたものではない。【０００４】  また特許文献２には車両用障害物の検知を行う装置の調整方法が記載されている。この特許文献２に開示されたものは、ミリ波レーダーの前に基準反射体Ｒを置いて、この基準反射体によって反射された電波によって検知軸の調整を行うようにしたものである。【０００５】  特許文献２に開示されたものは、調整を行う場合に基準反射体とミリ波レーダーとの間に作業者が入ることができず、製造ラインでの調整をより簡単にするという観点からなお改善が必要である。【０００６】
【特許文献１】特開平２００７−１０８１２６号公報
【０００７】
【特許文献２】特開２００３−２４０８３７号公報
【発明の概要】
【発明が解決しようとする課題】
【０００８】  上記の特許文献１に開示された技術には、車両の製造ラインでバンパーが取り付けられる前に、どのようにして作業者が簡単に検知軸の調整を行うか開示されていない。現実の車両の製造ラインでは、いかにして短時間で容易にかつ正確に検知軸の調整を行うかが重要である。また特許文献２に開示されたものは、調整中は作業者がミリ波レーダーと基準反射体との間に入る事ができず、作業性が損なわれるという問題がある。【０００９】  本発明は以上の点に着目し、作業者が容易に検知軸の調整作業を行うことができる車両用障害物検知装置の調整冶具を提供するものである。
【課題を解決するための手段】
【００１０】  本発明の車両用障害物検知装置の調整冶具は、水準センサ、ミリ波レーダーなどの障害物検知装置である被調整物（以下、文章の冗長性を避けるために「レーダー」と記載するが、障害物を検知するものとして、赤外線や超音波を使うものなどがあり、レーダーに限定されるものではない。）を係止するレーダーフック、レーダーの前面に当たる少なくとも３本の位置決め突起、を有するレーダー把持部と、水準センサからの信号を処理したりスイッチなどの入力手段からの信号を処理する電気的操作部、真空ポンプ、真空ポンプに連結した吸盤、吸盤を本体に搖動可能に結合するジンバルおよび電池などを有する本体とを有し、レーダー把持部はこの本体に対して搖動自在に取り付けられている。
【発明の効果】
【００１１】  本発明の車両用障害物検知装置の調整冶具は、以上の手段により、車両の製造ラインや車両の修理工場で、車両に取り付けられたレーダーにレーダーフックを嵌める。次に真空ポンプを稼働させると吸盤がレーダーに吸い付き、レーダーが本体側に引き寄せられるため、レーダーの前面は位置決め突起の先端が当たる。また同時に吸盤はレーダー側に引き付けられるため、吸盤はジンバルの弾性に抗して少しレーダー側に移動する。この状態で、レーダーの正面と把持部との位置関係が決定される。位置関係が決定された状態で、把持部内の水準センサを動作させると、レーダーの正面が水平に対してどのような角度になっているか検出することができる。レーダーの正面の角度すなわちエイミング角度を検出することができる。この角度が所定角度でなかった場合は、水準センサの出力信号を見ながら車両へのレーダーの取り付け角度を調整することができる。特に把持部が本体と別体であって搖動自在に取り付けられているため、質量の大きな本体が揺れても把持部には影響がなく、正確にレーダーのエイミング角度を検出することができる。【００１２】  本体に液晶パネルなどを取り付け、作業者が容易に所定のエイミング角度との相違をチェックすることができるようにすることもできる。さらに、レーダーの全面に対し、本体から出た３本以上の位置決め突起が吸盤の吸引力でしっかりと当たるため、レーダーと本体との角度は正確に決められることになる。よって、作業者は熟練することなく、正確に本発明の車両用障害物検知装置の調整冶具を使うことができる。【００１３】  特に本発明の車両用障害物検知装置の調整冶具は、車両に先ずレーダー（車両用障害物検知装置）を取り付け、その状態で簡単に本発明の車両用障害物検知装置の調整冶具でレーダーの取り付け角度が所定の範囲内にあるか検出できる。特に、本発明の車両用障害物検知装置の調整冶具は吸盤で簡単にレーダーに取り付けることができ、作業者の熟練を必要としない。【００１４】  つまり本発明の車両用障害物検知装置の調整冶具は、車両に取り付けられたレーダーの角度を簡単に検出可能であり、レーダーへの取り付けも容易であるため、車両の量産性が高くなるものである。
【図面の簡単な説明】
【００１５】
【図１】  本発明の車両用障害物検知装置の調整冶具の実施例１を示す斜視図である。
【図２】  本発明の車両用障害物検知装置の調整冶具の実施例１を示す上面図である。
【図３】  本発明の車両用障害物検知装置の調整冶具の実施例１を示す透視斜視図である。
【図４】  本発明の車両用障害物検知装置の調整冶具の実施例１を示す上断面図である。
【図５】  本発明の車両用障害物検知装置の調整冶具の実施例１を示す側断面図である。
【図６】  本発明の車両用障害物検知装置の調整冶具の実施例１を示す部分側面図である。
【図７】  本発明の車両用障害物検知装置の調整冶具の実施例１を示す部分側面図である。
【発明を実施するための形態】
【００１６】  本発明の請求項１に記載の発明は、水準センサ、ミリ波レーダーなどの障害物検知装置であるレーダーを係止するレーダーフック、レーダーの前面に当たる少なくとも３本の位置決め突起、を有するレーダー把持部と、水準センサからの信号を処理したりスイッチなどの入力手段からの信号を処理する電気的操作部、真空ポンプ、真空ポンプに連結した吸盤、吸盤を本体に搖動自在に取り付けるジンバルおよび電池などを有する本体とを有し、レーダー把持部はこの本体に対して搖動自在に取り付けられている構成を有する。これによって、上記の発明の効果を発揮する。
【実施例】
【００１７】  以下本発明の車両用障害物検知装置の調整冶具について、実施例を示す図面とともに説明する。１はレーダー把持部であり、基板２から４本のレーダーフック３が突出している。レーダーフック３は被調整部材であるレーダー４（図４及び図５参照）の４つの側面と係合し、レーダー把持部１にレーダー４を仮止めする。また基板２から３本の位置決め突起５が突出している。この位置決め突起５はレーダー４の前面に当たって、レーダー４の位置決めをする物である。さらに基板２の裏面（レーダーフック３の突出面と反対面）に、水準センサ６が取り付けられている。（図２参照）【００１８】  基板２の中心には吸盤６が貫通口７を通して位置している。この吸盤６は本体８にジンバル１６を介して取り付けられている。ジンバル１６はバネ材などの弾性を有する薄板から構成され、その四隅が本体８にネジ止めされ、中心の穴に吸盤が貫通し固定されている（図３参照）。またレーダー把持部１はスプリング９を貫通するボルト１０によって本体８に搖動自在に取り付けられている。また、本体８には真空ポンプ１１が設けられ、この真空ポンプ１１は吸盤６に連通しており、スイッチ１２を操作することによって真空ポンプ１１が動作し、吸盤６内部の気圧を下げる。【００１９】  また、本体８の内部には電池１３やマイクロコンピュータを有する電子回路基板１４が設けられ、水準センサ１５の出力信号を、本体８に設けたディスプレイや電波を介してタブレットコンピュータに出力することができる。水準センサとしては傾斜センサとして株式会社村田製作所などから既に市販されており、水準センサ１５の出力信号を表示する技術についても、推奨回路などが開示されているため、説明は省略する。【００２０】  本発明の車両用障害物検知装置の調整冶具は以上のような構成よりなり、以下その使用方法を説明する。図４に示すように、車両に取り付けられたレーダー４にレーダー把持部１のレーダーフック３を嵌め、レーダー４を仮止めする。この状態では、レーダー４は少し傾いている可能性がある。図４では、レーダー４が傾いている状態を示している。【００２１】  次にスイッチ１２を入れて真空ポンプ１１を起動させると、吸盤６内部の気圧が負圧となり、レーダー４の前面を吸着する。するとレーダー４はレーダー把持部１の方に引き寄せられ、３本の位置決め突起５とレーダー４の前面が当たり、レーダー４とレーダー把持部１との位置関係が決定される。【００２２】  ここで、電子回路基板１４のマイクロコンピュータを動作させ、レーダー把持部１の水準センサ１５の出力信号を解析し、水準センサの水平に対する角度を測定する。この測定値は、すなわちレーダー４の水平に対する角度となる。これによって、レーダー４のエイミング角度を知ることができる。【００２３】  レーダー４の水平に対する角度が所定値の範囲より外れていた場合は、レーダー４をレーダー把持部１に把持させたまま、レーダー４の車両への取り付け角度を調整する。そしてレーダー４の角度が所定値の範囲に入った時に、レーダー４の角度調整の作業が終了する。
【産業上の利用可能性】
【００４３】  上記説明のとおり、車両に取り付けられたレーダー４にレーダー把持部１を嵌めて、吸盤６でレーダー４を吸着させるだけでレーダー４と水準センサ１５との位置関係が正確に決定され、簡単にレーダー４の角度を検出できる車両用障害物検知装置の調整冶具を提供することができる。【００４４】  このように簡単な操作でレーダー４の角度を検出することができ、熟練の必要がなく、車両の製造の合理化に寄与することができる。
【符号の説明】
【００４５】１    レーダー把持部
２    基板
３    レーダーフック
４    レーダー
５    位置決め突起
６    吸盤
７    貫通口
８    本体
９    スプリング
１０  ボルト
１１  真空ポンプ
１２  スイッチ
１３  電池
１４  電子回路基板
１５  水準センサ
１６  ジンバル
【図１】
2019124676.tif 000003
【図２】
2019124676.tif 000004
【図３】
2019124676.tif 000005
【図４】
2019124676.tif 000006
【図５】
2019124676.tif 000007
【図６】
2019124676.tif 000008
【手続補正書】
【提出日】平成30年3月22日(2018.3.22)
【手続補正１】
【補正対象書類名】明細書
【補正対象項目名】００１５
【補正方法】変更
【補正の内容】
【００１５】
【図１】  本発明の車両用障害物検知装置の調整冶具の実施例１を示す斜視図である。
【図２】  本発明の車両用障害物検知装置の調整冶具の実施例１を示す上面図である。
【図３】  本発明の車両用障害物検知装置の調整冶具の実施例１を示す透視斜視図である。
【図４】  本発明の車両用障害物検知装置の調整冶具の実施例１を示す上断面図である。
【図５】  本発明の車両用障害物検知装置の調整冶具の実施例１を示す側断面図である。
【図６】  本発明の車両用障害物検知装置の調整冶具の実施例１を示す部分側面図である。